(57)【要約】【課題】単位帳票を分離後、薄上紙と基紙が剥離し易いものとなる基紙と薄上紙を剥離可能に貼り合せてなる連続帳票を提供する。【解決手段】印字される基紙１０と薄上紙２０とを接着層４０によって疑似接着された連続帳票３０の片側から反対側の手前まで横ミシン８０を施すと共に、前記基紙１０と前記薄上紙２０の何れか一方の用紙の分離部に、前記連続帳票３０の横ミシン８０に続いて、前記横ミシン８０の延長上に横ミシン８１を施し、他方の用紙の分離部には前記連続帳票３０の横ミシン８０に続いて、隣接分離帳票側に向うスリットＳ１を施し、一側に切っ掛け部５０を形成させる。【選択図】図１
2008302687.tif 000002
【特許請求の範囲】
【請求項１】
印字される基紙と薄上紙とを接着層によって疑似接着された連続帳票において、前記連続帳票の片側から反対側の手前まで横ミシンを施すと共に、前記基紙と前記薄上紙の何れか一方の用紙の分離部に、前記連続帳票の横ミシンに続いて、前記連続帳票の横ミシンの延長線上に横ミシンを施し、他方の用紙の分離部には前記連続帳票の横ミシンに続いて、隣接分離帳票側に向うスリットを施して一側に切っ掛け部を形成したことを特徴とする印字される基紙上に薄上紙を接着層によって疑似接着された連続帳票。
【請求項２】
印字される基紙と薄上紙とを接着層によって疑似接着された連続帳票において、前記連続帳票の片側から反対側の手前まで横ミシンを施すと共に、前記基紙と前記薄上紙の何れか一方の用紙の分離部に、前記連続帳票の横ミシンに続いて、前記連続帳票の横ミシンの延長線上にスリットを施し、他方の用紙の分離部には前記連続帳票の横ミシンに続いて、隣接分離帳票側に向うスリットを施して一側に切っ掛け部を形成したことを特徴とする印字される基紙上に薄上紙を接着層によって疑似接着された連続帳票。
【請求項３】
印字される基紙と薄上紙とを接着層によって疑似接着された連続帳票において、前記連続帳票の片側から反対側の手前まで横ミシンを施すと共に、前記基紙に、前記連続帳票の横ミシンに続いて、前記連続帳票の横ミシンの延長線上にスリットを施し、前記連続帳票の横ミシンに続いて、隣接分離帳票側に向うスリットを施して一側に切っ掛け部を形成したことを特徴とする印字される基紙上に薄上紙を接着層によって疑似接着された連続帳票。
【発明の詳細な説明】
【技術分野】
【０００１】
本発明は、例えば、感熱発色層を設けた印字される基紙上に、隠蔽用印刷層を設けた薄上紙を接着層によって疑似接着された連続帳票に関するものである。
【背景技術】
【０００２】
周知のように、水道、ガス、電気等の公共料金の検針業務において、検針票として、感熱用紙が用いられ、携帯性に優れたハンディーターミナル用サーマルプリンタで、検針日時や使用量のみならず、請求金額等を印字して、その場で検針票の作成を行い、検針結果を印字した検針票を検針員が直接利用者のポストなどに入れている。
【０００３】
又、一部では個人情報保護の観点から、検針員が上述の印字した後の検針票などを、隠蔽性を施した封筒などに入れて、利用者のポストなどに入れるようにしているが、封筒に入れる業務は、検針員にとって、手間が掛かるばかりでなく、封筒を持ち歩かなければならないので、解決策が望まれていた。
【０００４】
このような背景の下、前述した検針結果などの秘匿情報が、第三者に見られないように隠蔽されるようにした発明として、例えば、特許文献１（特開平１１−３０１１２６号公報）などが出願されている。
【０００５】
しかしながら、この特許文献１で開示されている発明では、予め、上紙が幅及び／又は天地の長さが異なる部分を有することと、下紙と上紙の少なくとも周縁部に、接着により重ならない部分を有することで、下紙と上紙とを分離する切っ掛け部としている秘匿情報隠蔽用紙であるが、上紙に幅及び／又は天地の長さが異なる部分を有する用紙及び／又は下紙と上紙の周縁部に、接着により重ならない部分を有する用紙では、接着層をパターン糊として塗布する必要があり、高度な技術を要し、製造コストも高価なものとなる。
【０００６】
また、薄上紙を印字される基紙上に疑似接着された感熱用紙として、例えば、王子製紙製のＤＭ８０Ｂ又はＤＭ８０Ｂ２があるが、薄上紙が略２１μ〜２５μのグラシン紙が使用されている。
【０００７】
このＤＭ８０Ｂ又は前記ＤＭ８０Ｂ２に、一般的な剥離方法として、薄上紙からスリットを入れて切っ掛け部を形成した用紙において実証実験を試みた結果、スリットの入れ方が正常に入ったとしても、感熱紙の表面に数ミクロンのスリットが入り、例えばスリットに爪をたてて薄上紙を捲くろうとした場合に、感熱紙の数ミクロンのスリットの影響で、感熱紙に表面隔離（紙剥け）が生じ、感熱紙の印字面が、薄上紙に付着したという問題が生じた。
【特許文献１】特開平１１−３０１１２６号公報
【発明の開示】
【発明が解決しようとする課題】
【０００８】
そこで本発明は、単位帳票を分離後、薄上紙が剥離し易いものとなる印字される基紙上に薄上紙を接着層によって疑似接着された連続帳票を提供するものである。
【課題を解決するための手段】
【０００９】
本発明は、上記の課題を解決するためになされたもので、請求項１の発明は、印字される基紙と薄上紙とを接着層によって疑似接着された連続帳票において、前記連続帳票の片側から反対側の手前まで横ミシンを施すと共に、前記基紙と前記薄上紙の何れか一方の用紙の分離部に、前記連続帳票の横ミシンに続いて、前記連続帳票の横ミシンの延長線上に横ミシンを施し、他方の用紙の分離部には前記連続帳票の横ミシンに続いて、隣接分離帳票側に向うスリットを施して一側に切っ掛け部を形成したことを特徴とする印字される基紙上に薄上紙を接着層によって疑似接着された連続帳票である。
【００１０】
請求項２の発明は、印字される基紙と薄上紙とを接着層によって疑似接着された連続帳票において、前記連続帳票の片側から反対側の手前まで横ミシンを施すと共に、前記基紙と前記薄上紙の何れか一方の用紙の分離部に、前記連続帳票の横ミシンに続いて、前記連続帳票の横ミシンの延長線上にスリットを施し、他方の用紙の分離部には前記連続帳票の横ミシンに続いて、隣接分離帳票側に向うスリットを施して一側に切っ掛け部を形成したことを特徴とする印字される基紙上に薄上紙を接着層によって疑似接着された連続帳票である。
【００１１】
請求項３の発明は、印字される基紙と薄上紙とを接着層によって疑似接着された連続帳票において、前記連続帳票の片側から反対側の手前まで横ミシンを施すと共に、前記基紙に、前記連続帳票の横ミシンに続いて、前記連続帳票の横ミシンの延長線上にスリットを施し、前記連続帳票の横ミシンに続いて、隣接分離帳票側に向うスリットを施して一側に切っ掛け部を形成したことを特徴とする印字される基紙上に薄上紙を接着層によって疑似接着された連続帳票である。
【発明の効果】
【００１２】
本発明にかかる用紙は、先行分離帳票を摘み、後続部を抑えて横ミシンに従って、一側より千切ると、反対側の後続帳票の薄上紙の端部に、凸状に切っ掛け部が形成されるので、先行帳票は片側に形成された下紙の無い部分を有する形状の切っ掛け部を摘み、簡単に上紙と下紙とを剥離することができ、感熱紙の表面剥離（紙剥け）も生じない。
【００１３】
以下、本発明を、秘匿情報隠蔽用薄上紙を感熱用紙（下紙）に疑似接着した連続帳票に適用した場合の実施の形態をあげ、更に詳細に説明する。
【実施例１】
【００１４】
図１は、請求項１の発明を連続帳票に適用した場合の実施例の層構造を示す斜視図で、連続帳票３０は不透明度が略７８％以下の秘匿情報隠蔽用の薄上紙２０に感熱紙を用いた基紙１０（下紙）を接着層４０で疑似接着したものである。そして、前記基紙１０の裏面所定部と、前記薄上紙２０の表面の所定部に隠蔽性を齎す印刷層ａとｂをそれぞれ設け、且つ前記連続帳票３０には図２〜図４に示すように、刃型エリアＡに横ミシン８０を入れ、その横ミシン８０に続いて、前記薄上紙２０の刃型エリアＢの隣接分離帳票、即ち単位帳票Ｕ側に向うスリットＳ１を入れる。更に、前記基紙１０の刃型エリアＢには、前記横ミシン８０に続き、前記横ミシン８０の延長線上に横ミシン８１を入れ、前記薄上紙２０に切っ掛け部５０が形成されるようにしたものである。
【００１５】
従って、図５に示すように前記単位用紙Ｕを切り離したとき、前記単位用紙Ｕには片側の前部に下紙の無い形状を有する前記切っ掛け部５０が形成され、その切っ掛け部５０を摘んで容易に前記薄上紙２０と前記基紙１０とを剥離でき、感熱紙の表面剥離も生じないようになる。
【００１６】
前記基紙１０と前記薄上紙２０とを前記接着層４０にて疑似接着された市販の用紙としては、王子製紙株式会社製のＤＭ８０Ｂ又はＤＭ８０Ｂ２等が用いられる。
【００１７】
用紙として、上述のＤＭ８０Ｂ及びＤＭ８０Ｂ２を用いて実証実験を行った結果、前記ＤＭ８０Ｂの前記薄上紙２０は略２５μの紙厚のグラシン紙であり、また前記ＤＭ８０Ｂ２は略２１μの紙厚のグラシン紙であるが、前記ＤＭ８０Ｂ及び前記ＤＭ８０Ｂ２共に、グラシン紙が破損しないで剥離でき、及び／又は基紙（感熱紙）の表面剥離（紙剥け）も生じなかった。
【００１８】
感熱プリンタの熱量と感熱紙の発色温度とは相反する関係にあるので、それを勘案して、薄上紙の厚さは感熱プリンタの熱量に応じて実験的に決定される。
【００１９】
尚、前記連続帳票３０の先行単位用紙Ｕを前記横ミシン８０から切り離す際に、後続の単位帳票Ｕの前記切っ掛け部５０が千切れないための前記切っ掛け部５０を形成する条件は、「切っ掛け部５０が千切られる強度＞切っ掛け部５０の疑似接着強度」の条件差が大きければより好ましく、前記切っ掛け部５０の疑似接着強度を小さくするためには、前記横ミシン８０と前記スリットＳ１のなす角度を小さくすることが有効である。
【００２０】
よって、前記切っ掛け部５０の形状は、図６の変形例に示すように、曲線的形状のスリットＳ１’とすることで、前記横ミシン８０と前記スリットＳ１のなす角度を小さくし、且つ、前記切っ掛け部５０が摘み易い大きさとすることがより好ましい。
【実施例２】
【００２１】
実施例１では連続帳票３０の刃型エリアＡに横ミシン８０を入れ、基紙１０の刃型エリアＢには横ミシン８１を入れ、そして薄上紙２０の刃型エリアＢにスリットＳ１を入れ、薄上紙２０に切っ掛け部５０を設けたが、図７に示すように、本発明の実施例１とは逆に基紙１０の刃型エリアＢにスリットＳ２を、また薄上紙２０の刃型エリアＢには横ミシン８２を設けても単位帳票Ｕに分離後に、その単位帳票Ｕには片側の後部に切っ掛け部５１（図８参照）が形成されることにより、上紙と下紙を剥離し易いものとすることができ、感熱紙の表面剥離も生じないようになる。
【実施例３】
【００２２】
また実施例１では連続帳票３０の刃型エリアＡに横ミシン８０を入れ、基紙１０の刃型エリアＢには横ミシン８１を入れ、そして薄上紙２０の刃型エリアＢにスリットＳ１を入れ、薄上紙２０に切っ掛け部５０を設けたが、図９に示すように、本発明の実施例１の基紙１０の刃型エリアＢの横ミシン８１をスリットＳ３として、単位帳票Ｕに分離後に、その単位帳票Ｕには片側の前部に切っ掛け部５０が形成されることにより、上紙と下紙をより剥離し易いものとすることができ、感熱紙の表面剥離も生じないようになる。
【実施例４】
【００２３】
また実施例２では連続帳票３０の刃型エリアＡに横ミシン８０を入れ、基紙１０の刃型エリアＢにはスリットＳ２を入れ、そして薄上紙２０の刃型エリアＢに横ミシン８２を入れ、薄上紙２０に切っ掛け部５１を設けたが、図１０に示すように、実施例２の薄上紙２０の刃型エリアＢ部分の横ミシン８２をスリットＳ４として、単位帳票Ｕに分離後、その単位帳票Ｕには片側の後部に切っ掛け部５１が形成されることにより、上紙と下紙をより剥離し易いものとすることができ、感熱紙の表面剥離も生じないようになる。
【実施例５】
【００２４】
また実施例３では連続帳票３０の刃型エリアＡに横ミシン８０を入れ、基紙１０の刃型エリアＢにはスリットＳ３を入れ、そして薄上紙２０の刃型エリアＢにはスリットＳ１を入れ、薄上紙２０に切っ掛け部５０を設けたが、実施例５は図１１に示すように、実施例３の基紙１０の刃型エリアＢのスリットＳ３を基紙１０と薄上紙２０との刃型エリアＢが突き抜けるスリットＳ５としたものである。この構成によると単位帳票Ｕに分離後に、その単位帳票Ｕには片側の前部に基紙１０のスリットＳ３とスリットＳ５に囲まれる部分が接着した切っ掛け部５２が形成されることになり、上紙と下紙をより剥離し易いものとなって、感熱紙の表面剥離も生じないようになる。
【００２５】
尚、感熱プリンタを備えたハンディターミナルで用いられる用紙の形態は、主として蛇腹又はロールの連続帳票であり、前期切っ掛け部５２が仕上がり形態に収まらずハードウェアへのセット及び／又は通紙に支障をきたさないことを鑑みると、前記スリットＳ５にアンカットを施すことがより好ましい。
【００２６】
以上、切っ掛け部を形成するために、隣接分離帳票側に向うスリットを、単位帳票Ｕでは下部に施しているが、単位帳票Ｕの上部に施してあっても、同様の効果が得られることは以上の説明から自明である。
【図面の簡単な説明】
【００２７】
【図１】実施例１の層構造を示す斜視図。
【図２】実施例１の薄上紙の平面図。
【図３】実施例１の基紙の底面図。
【図４】実施例１の分解斜視図。
【図５】実施例１の分離単位用紙の斜視図。
【図６】実施例１の変形例における切っ掛け部を形成した薄上紙の表面図。
【図７】実施例２の分解斜視図。
【図８】実施例２の分離単位用紙の斜視図。
【図９】実施例３の分解斜視図。
【図１０】実施例４の分解斜視図。
【図１１】実施例５の分解斜視図。
【符号の説明】
【００２８】
１０                                    基紙
２０                                    薄上紙
３０                                    連続帳票
５０，５１，５２                        切っ掛け部  
８０，８１                              横ミシン
Ｓ１，Ｓ１’，Ｓ２，Ｓ３，Ｓ４，Ｓ５    スリット
ａ，ｂ                                  印刷層
Ａ，Ｂ                                  刃型エリア
Ｕ                                      単位帳票
【図１】
2008302687.tif 000003
【図２】
2008302687.tif 000004
【図３】
2008302687.tif 000005
【図４】
2008302687.tif 000006
【図５】
2008302687.tif 000007
【図６】
2008302687.tif 000008
【図７】
2008302687.tif 000009
【図８】
2008302687.tif 000010
【図９】
2008302687.tif 000011
【図１０】
2008302687.tif 000012
【図１１】
2008302687.tif 000013